(57)【要約】【課題】対向部材の対向面に形成された装着凹部からマグネット部材が脱落するのを防止できる開閉部材を提供する。【解決手段】一対の対向部材の対向面の長手方向に形成された装着凹部２に、互いに反対の磁極を向けて第１及び第２のマグネット部材９，１９を装着し、前記対向部材の下端部においてマグネット部材９，１９を支持しつつ、断面中空状の対向部材の下端部の開口部にキャップ部材９０の装着部８９を装着又は嵌合した状態で、ネジ部材などの取り付け機構でキャップ部材９０を対向部材の下端部で取り付け、前記装着凹部２，１２から前記マグネット部材９，１９が脱落するのを防止する。【選択図】図５
2018126560.tif 000002
【特許請求の範囲】
【請求項１】
互いに相対的に対向面が離反又は近接する方向へ移動又はスライド可能な一対の対向部材と；一対の対向部材の対向面に長手方向にそれぞれ形成された装着凹部と；前記一対の対向部材の装着凹部に、互いに反対の磁極を向けて長手方向に沿って装着可能な第１のマグネット部材および第２のマグネット部材とを備えた開閉部材において、少なくとも可動な前記対向部材に装着された前記マグネット部材が前記装着凹部から脱落するのを防止するための脱落防止手段であって、
前記可動な対向部材が断面中空状に形成され；この断面中空状の対向部材の下端部の中空開口部及び／又は周縁部に装着又は嵌合可能な装着部を有し、かつ前記対向部材の下端部において前記装着凹部からの前記マグネット部材の脱落を防止可能なキャップ部材と；このキャップ部材を前記対向部材に固定又は取り付けるためのネジ部材とを備えている脱落防止手段。
【請求項２】
断面中空状の対向部材の下端部の中空開口部及び／又は周縁部に装着又は嵌合可能な装着部を有し、かつ前記対向部材の下端部において装着凹部のマグネット部材を支持して前記マグネット部材の脱落を防止可能なキャップ部材と；前記対向部材の下端部で、このキャップ部材の装着部を前記対向部材に固定又は取り付けるためのネジ部材とを備えている請求項１記載の脱落防止手段。
【請求項３】
キャップ部材の装着部が、対向部材の下端部の中空開口部に装着可能な凸部又は差し込み部を備えている請求項１又は２記載の脱落防止手段。
【請求項４】
キャップ部材の装着部が、（ａ）凸状装着部、（ｂ）枠状装着部、若しくは（ｃ）対向する壁状装着部と、この壁状装着部を連結し、半環状部が対峙する架橋部とを有する橋架状装着部を備えている請求項１〜３のいずれかに記載の脱落防止手段。
【請求項５】
装着凹部に隣接して、対向部材に中空開口部が形成され、この中空開口部に装着部が装着可能である請求項１〜４のいずれかに記載の脱落防止手段。
【請求項６】
ネジ部材が、対向部材の長手方向又は横方向に前進動してキャップ部材を前記対向部材に固定又は取り付け可能である請求項１〜５のいずれかに記載の脱落防止手段。
【請求項７】
対向部材の長手方向又は横方向へのネジ部材の前進動に伴って、キャップ部材の装着部を対向部材に押しつけ又は圧着して前記装着部を前記対向部材に固定又は取り付け可能である請求項１〜６のいずれかに記載の脱落防止手段。
【請求項８】
キャップ部材の装着部に対して対向部材の長手方向又は横方向へネジ部材を前進動させて、キャップ部材の装着部を対向部材に固定又は取り付け可能である請求項１〜７のいずれかに記載の脱落防止手段。
【請求項９】
キャップ部材の装着部が、対向部材の装着凹部に装着可能な第２の装着部を備えている請求項１〜８のいずれかに記載の脱落防止手段。
【請求項１０】
互いに相対的に対向面が離反又は近接する方向へ移動又はスライド可能な一対の対向部材と；一対の対向部材の対向面に長手方向にそれぞれ形成された装着凹部と；前記一対の対向部材の装着凹部に、互いに反対の磁極を向けて長手方向に沿って装着可能な第１のマグネット部材および第２のマグネット部材と；少なくとも可動な前記対向部材に装着された前記マグネット部材が前記装着凹部から脱落するのを防止するための脱落防止手段とを備えた開閉部材であって、
前記可動な対向部材が断面中空状に形成されており；前記脱落防止手段が、前記請求項１〜９のいずれかに記載の脱落防止手段で形成されている、開閉部材。
【請求項１１】
マグネット部材が、磁性粉体と軟質樹脂とを含む軟質マグネット部材である請求項１０記載の開閉部材。
【発明の詳細な説明】
【技術分野】
【０００１】
本発明は、磁力を利用して開閉可能な間仕切りユニット（間仕切りカーテンなど）などを形成し、集会所などの空間を仕切るのに有用な開閉部材及びそれを用いた間仕切りユニット（又は開閉構造）に関する。
【背景技術】
【０００２】
老人ホームの集会所、家庭のリビング、出入口などの種々の空間を仕切るため、間仕切りカーテンが広く利用され、この間仕切りカーテンは、長尺な一対の開閉部材の対向面に磁石を配設し、前記開閉部材にカーテンを取り付けている。特開２０００−２２０３５５号公報（特許文献１）には、多数枚のパネルをハンガーレールに沿って移動可能に支持するとともに、各パネルをそれぞれ回動可能に連結し、先頭に位置するパネルの端部には先頭框を設け、この先頭框を先頭ランナーを介して前記ハンガーレールから吊下支持した間仕切りパネルが記載されている。この文献には、前記先頭框に磁石を設け、この磁石を露出可能な形態でカバー（クッションゴム）で覆い、磁石を壁面のマグネット受けに密着させることが記載されている。
【０００３】
しかし、閉鎖時には、クッションゴムの先端部が撓んで壁面に密着するため、磁気的吸着性が低い。また、ハンガーレールを支点にしてパネルが揺動すると、マグネット受けに対するヨーク板の突条の位置がずれるため、マグネット受けにヨーク板の突条を簡便かつ容易に精度よく位置させることができない。
【０００４】
特開昭５５−１４３１１７号公報（特許文献２）には、互いに向き合う一対の可動さんの対向面に、上部から下部まで延びる磁石（柔軟な紐状又は帯状であってもよい磁石）を取り付けることが記載されている。しかし、特許文献２のように、紐状又は帯状の磁石を対向させた開閉装置では、揺動などにより可動さんの軸線が他方の可動さんの軸線からずれても、位置がずれたままの状態で磁気的に吸着する。そのため、一対の可動さんを自動的に同一線上に配列させることができず、同一線上に配列させるにはかなり大きな力を要する。
【０００５】
実開昭６１−１７３６８６号公報（特許文献３）には、保持板２の縁辺のひとつに沿って、永久磁石１を固定して構造体を形成し、二個一組の構造体を、永久磁石が極性を互いに逆向きにしてカーテンに取り付けたカーテンファスナが記載されている。しかし、特許文献３に係る発明は、縦方向に間隔をおいて異なる磁極を配置させているため、縦方向において、磁石のない箇所ではカーテン間に必然的に隙間が生じ、空間を緊密に閉じることができない。
【０００６】
実公平３−３１８３３号公報（特許文献４）には、扉の背面と本体の前面にＳ極とＮ極とを互いに対峙して連続する永久磁石が配置された開閉構造が記載されている。しかし、この文献では、Ｓ極とＳ極、Ｎ極とＮ極とを対峙させて磁気的反発力により、扉を楽に開くためには、永久磁石は、複数のＳ極と複数のＮ極とが交互に隣接した磁極構造（すなわち、４極以上の偶数極の磁極構造）を必要とする。さらに、特許文献４では、本体の前面と扉の背面とを重複させた形態で閉じ、本体の前面の磁石に対して扉の背面の磁石を摺接方向に移動させて開放するため、重複部位の厚み幅が大きくなるとともに、磁石の磁力に抗して摺接方向へスライドさせるには大きな力を必要とする。そのため、閉じ操作で所定部位にまで扉を移動させるためには、本体に対して扉を一旦起立させて離反させるための機構を必要とし、構造が複雑化する。
【０００７】
実開昭５６−１５８８９０号公報（特許文献５）には、カーテン本体の側端部の後面側に磁着面を設け、窓の開口枠の側枠部の前面側に、前記磁着面が着脱自在に摺接磁着する磁着受け面を設け、磁着面及び磁着受け面を、取着剤に、上下方向全長にゴム性磁石を埋設して形成することが記載されている。しかし、この文献も、磁着受け面に対して磁着面を摺接方向に移動させるため、磁着面と磁着受け面との重複部位の厚みを大きくする必要がある。さらに、窓の開口枠の側枠部の軸線に対してカーテン本体側端部が斜め方向に傾斜していても、両者は磁気的に吸着する。そのため、窓の開口枠の側枠部に対して、位置ずれすることなく整然とカーテン本体の側端部を吸着できなくなる。
【０００８】
特開２００９−１３１５８９号公報（特許文献６）には、互いに対向可能な一対の対向部材と、一対の対向部材の対向面にそれぞれ配設され、かつ互いに磁気的に吸着可能なマグネット部材とを備えた一対の開閉部材が開示され、この開閉部材は、一方の対向部材の幅方向に、異なる磁極を隣接させて第１のマグネット部材が配設され、他方の対向部材の対向面に、前記第１のマグネット部材の磁極に対して反対の磁極を向けて第２のマグネット部材が配設され、前記第１及び第２のマグネット部材のうち少なくとも第１のマグネット部材が、磁性粉体と軟質樹脂とを含む軟質マグネット部材で構成されていることが記載されている。この文献には、対向部材にシートの取り付け部を形成し、開閉部材を吊り下げてレールに沿って移動させるため、一対の対向部材の頂部（上部）に、ランナーの吊り下げ部を取り付けることも記載されている。この特許文献６に記載の開閉部材では、一方の対向部材の軸線に対して位置ずれすることなく、他方の対向部材を緊密に密着させることができる。
【０００９】
しかし、シートの取り付けには、取付壁に対する押さえ部材と、この押さえ部材を取付壁に取り付けるためのネジ部材が必要であり、シートの取り付け作業が煩雑である。さらに、取付壁を形成した対向部材と、押さえ部材とを別途製造する必要があり、部品点数も多くなり、開閉部材の構造も複雑化する。
【先行技術文献】
【特許文献】
【００１０】
【特許文献１】特開２０００−２２０３５５号公報（請求項１及び４）
【特許文献２】特開昭５５−１４３１１７号公報（第３頁左上欄５行〜右上欄３行、第１図及び第３図）
【特許文献３】実開昭６１−１７３６８６号公報（実用新案登録請求の範囲、発明の構成の欄、第１図〜第５図）
【特許文献４】実公平３−３１８３３号公報（段落［００７１］及び図１４）
【特許文献５】実開昭５６−１５８８９０号公報（第３頁１行〜１８行）
【特許文献６】特開２００９−１３１５８９号公報（特許請求の範囲、段落［００２４］［００２６］、図１および図２）
【発明の概要】
【発明が解決しようとする課題】
【００１１】
従って、本発明の目的は、簡単な組み立て操作で開閉構造を容易に構築できる開閉部材及びそれを用いた間仕切りユニットを提供することにある。
【００１２】
本発明の他の目的は、構造が簡単であるとともに、閉じ操作により位置ずれが生じることのない開閉部材及びそれを用いた間仕切りユニットを提供することにある。
【課題を解決するための手段】
【００１３】
本発明者は、前記課題を達成するため鋭意検討した結果、一対の延出規制壁で形成されたスリット状の抜け止め凹部を利用すると、間仕切りシートを効率よく取り付けできること、対向部材の頂部にランナーを揺動可能な形態で装着すると、レール部材に沿ってランナーを走行させながら円滑に開閉できること、一対の対向部材の対向部の幅方向に異なる２つの磁極のみ（Ｎ極及びＳ極のみ）を隣接させ、しかも一対の開閉部材の対向面で、互いに反対の磁極（Ｎ極に対してはＳ極、Ｓ極に対してはＮ極）を向けてマグネット部材を対向させると、同極同士で反発し異なる極性で吸着する磁気的作用を利用して、他方の対向部材の軸線に対して一方の対向部材の軸線が斜め方向などに位置ずれした状態であっても、位置ずれを生じることなく一対の対向部材を円滑に閉じることができることを見いだした。さらに、従来の対向部材が非対称構造を有していることに着目してさらに検討した結果、対向部材の横断面形状を対称形状とすることにより、部品点数を低減でき、開閉部材の構造を簡素化できることを見いだした。本発明はこれらの知見とその後の検討に基づいて完成したものである。
【００１４】
すなわち、本発明の開閉部材は、互いに対向可能な一対の対向部材（短尺又は長尺の対向部材）と、一対の対向部材の対向面に長手方向にそれぞれ形成され、かつ互いに磁気的に吸着可能なマグネット部材が装着可能な装着凹部と、少なくとも一方の対向部材に形成され、かつレール部材に沿って走行可能な第１のランナーが装着可能な装着部と、少なくとも一方の対向部材の対向面に対して反対側の側壁に形成され、かつ間仕切りシートを抜け止め状態で取り付け可能な抜け止め凹部とを備えている。このような一対の開閉部材において、一対の対向部材の装着凹部には、それぞれ、幅方向にＳ極及びＮ極の２極のみを隣接させ、かつ互いに反対の磁極を向けて第１のマグネット部材および第２のマグネット部材が長手方向に沿って装着可能である。また、少なくとも一方の対向部材の頂部の頂部（又は上部）には、第１のランナーの吊り下げ部が装着可能な装着部（例えば、揺動可能な形態で装着可能な装着孔部）が形成されている。さらに、少なくとも一方の対向部材の対向面に対して反対側の側壁からは一対の延出規制壁（又は舌片状規制壁）が延出し、スリット状の抜け止め凹部を形成している。
【００１５】
このような開閉部材において、少なくとも一方の対向部材の横断面形状は対称構造を有していてもよい。前記対向部材は、マグネット部材が装着可能なアリ溝状の装着凹部を形成する断面コ字状装着壁と、この装着壁に隣接して形成され、かつ第１のランナーの吊り下げ部が装着可能な装着孔部壁（例えば、軸方向に貫通して延びる空孔を形成する孔部壁）と、この装着孔部壁に隣接して形成され、先端部が狭まった形態で壁部が延出する抜け止め凹部とを備えていてもよい。また、前記装着壁の幅方向の中央部と抜け止め凹部の幅方向の中央部とを結ぶ線を中心にして、前記対向部材の横断面形状は対称形状に形成してもよい。
【００１６】
さらに、対向部材は、マグネット部材が装着可能な装着凹部としての断面コ字状装着壁の開口周縁部と、抜け止め凹部の開口周縁部とを結ぶ周壁部を備えていてもよく、この周壁部は、断面リング状（円形状、楕円形状など）又は多角枠状（四角枠状など）の形態を有していてもよい。また、前記装着孔部壁又は抜け止め凹部からは側方に操作壁（又は操作部）が延出していてもよい。この操作壁（又は操作部）はフラップ状に延出していてもよく、対向部材の開閉操作に利用できる。
【００１７】
また、対向部材は、ステープラなどにより、側端部に厚肉部が形成された間仕切りシートを取り付けるための抜け止め凹部を備えていてもよく、前記抜け止め凹部は、対向部材の側壁から先端部が狭まった形態で延出し、かつ対向部材の軸方向に延びる一対の延出規制壁（又は舌片状規制壁）で形成してもよい。前記抜け止め凹部は、間仕切りシートの挿入を許容し、間仕切りシートの厚肉部の抜けを規制する。
【００１８】
なお、一対の対向部材は、互いに相対的に対向面が離反又は近接する方向へ移動又はスライド可能であってもよい（例えば、他方の対向部材に対して、一方の対向部材が相対的にスライド可能であってもよい）。また、固定部に固定された他方の対向部材に対して、一方の対向部材がスライド可能であってもよい。なお、一対の対向部材は、通常、対向面が互いに突き合わせ状態で近接する方向へ移動又はスライド可能である。例えば、一対の対向部材は、周方向に複数の対向面を有する基準対向部材と、この基準対向部材の前記対向面に対して対向可能な対向面を有する第１の対向部材とを備えていてもよく、前記基準対向部材の対向面にはマグネット部材が装着可能な装着凹部を形成し、前記第１の対向部材の対向面にはマグネット部材が装着可能な装着凹部を形成し、かつ第１の対向部材の対向面に対して反対側の側壁には抜け止め凹部を形成してもよい。
【００１９】
なお、少なくとも一方の対向部材は、第１のランナーを介して、前記レール部材に沿って移動又はスライド可能であってもよい。レール部材は、通常、横方向（例えば、対向部材の長手方向に対して直交する横方向）に配設可能である。そのため、第１のランナーを介して、対向部材の長手方向に対して直交する横方向に延びて配設されたレール部材から縦方向に懸垂した状態で、少なくとも一方の開閉部材を移動又はスライドさせることにより、所定の空間を開閉可能である。
【００２０】
本発明は、前記開閉部材を備えた間仕切りユニットおよび開閉構造も包含する。この間仕切りユニットおよび開閉構造は、前記開閉部材と；この開閉部材の対向部材の装着凹部に、それぞれ、幅方向にＳ極及びＮ極の２極のみを隣接させ、かつ互いに反対の磁極を向けて長手方向に沿って装着可能な第１および第２のマグネット部材と；少なくとも一方の対向部材の頂部に形成された装着部に対して装着可能な吊り下げ部を備えた第１のランナーと；少なくとも一方の対向部材の抜け止め凹部に取り付け可能な間仕切りシートと；を備えている。なお、前記間仕切りユニットおよび開閉構造は、第１のランナーが走行可能なレール部材を備えていてもよい。
【００２１】
前記間仕切りユニットおよび開閉構造は、さらに、（Ａ）（Ｂ）及び（Ｃ）から選択された少なくとも一種を備えていてもよい。
【００２２】
（Ａ）間仕切り空間の側壁部に取り付け可能であり、かつ前記と同様のスリット状の抜け止め凹部を有する側壁部材（又は側部壁付けポール）；
（Ｂ）間仕切りシートの側端部に取り付け可能であり、上記開閉部材及び／又は上記側壁部材の抜け止め凹部からの間仕切りシートの抜けを規制可能な抜け規制部と、間仕切りシートが前記抜け止め凹部で下方へ位置ずれするのを規制するための下降規制部とを備えたストッパー部材；
（Ｃ）断面中空状の対向部材の下端部に装着可能な装着部を有し、前記対向部材の下端部の開口部を閉塞可能なキャップ部材（例えば、ネジ部の前進動に伴って横方向に拡大可能な装着部を有するキャップ部材）。
【００２３】
さらに、間仕切りユニットおよび開閉構造は、シートの上部に取り付け可能な第２のランナーを備えていてもよい。この第２のランナーは、開方向から閉じ方向にバネにより付勢され、シートの上部を挟圧可能な少なくとも一対の挟圧部を備えていてもよい。さらに、第２のランナーは、走行ユニットに対して回動可能に取り付けられた回動部材と、この回動部材に対して揺動可能に取り付けられた揺動部材と、この揺動部材に取り付けられ、かつシートを挟圧して吊り下げた状態で取り付けるための取付ユニットとを備えており、前記取付ユニットは、前記揺動部材が装着可能であり、かつシートが配置可能な受け部材と、この受け部材に係合し、かつ押圧に伴って先端部で前記シートを挟圧可能な挟圧部材と、前記受け部材に対して回動可能に取り付けられ、かつ回動に伴って前記挟圧部材を押圧可能な押圧部材とを備えていてもよい。なお、第１及び第２のランナーは、それぞれ、シートの開閉に利用され、第１のランナーは対向部材を走行させるために利用され、第２のランナーはシートへの取り付けに利用できる。
【発明の効果】
【００２４】
本発明では、対向部材の頂部に第１のランナーの吊り下げ部を装着し、抜け止め凹部に間仕切りシートを効率よく取り付けることができるため、簡単な組み立て操作で開閉部材および開閉又は間仕切りユニット（開閉構造）を容易に構築できる。さらに、第１のランナーの吊り下げ部が揺動可能な形態で対向部材の頂部に装着できるため、レール部材に沿って対向部材を円滑に移動又はスライドでき、開閉操作が容易である。また、互いに対向可能な装着凹部に反対の磁極を向けてマグネット部材を装着するため、閉じ操作により位置ずれが生じることがない。さらに、対向部材を対称構造に形成すると、構造を簡素化できるとともに、部品点数を低減できる。
【図面の簡単な説明】
【００２５】
【図１】図１は本発明の開閉部材及び開閉構造の一例を示す概略分解斜視図である。
【図２】図２は図１の開閉部材及び開閉構造を示す概略断面図である。
【図３】図３は図１の第２のランナーを示す概略斜視図である。
【図４】図４は図１の第２のランナーを示す分解斜視図である。
【図５】図５は本発明の開閉部材及び開閉構造の他の例を示す概略分解斜視図である。
【図６】図６は本発明の開閉部材及び開閉構造のさらに他の例を示す概略断面図である。
【図７】図７は本発明の開閉部材及び開閉構造の別の例を示す概略断面図である。
【図８】図８は本発明の開閉部材及び開閉構造のさらに別の例を示す概略分解斜視図である。
【図９】図９は図８のシートの取付構造を説明するための概略分解斜視図である。
【図１０】図１０は図８のストッパー部材を示す概略斜視図である。
【図１１】図１１は図８の下部キャップ部材を示す図であり、図１１（Ａ）は対向部材との関係を示す概略平面図、図１１（Ｂ）は概略斜視図である。
【図１２】図１２は下部キャップ部材の他の例を示す概略斜視図である。
【図１３】図１３は下部キャップ部材のさらに他の例を示す概略斜視図である。
【図１４】図１４は側壁部材の他の例を示す概略分解斜視図である。
【図１５】図１５は本発明の開閉部材及び開閉構造の他の例を示す概略分解斜視図である。
【発明を実施するための形態】
【００２６】
以下に、必要に応じて添付図面を参照しつつ、本発明を詳細に説明する。図１は、本発明の開閉部材及び開閉構造の一例を示す概略分解斜視図であり、図２は、図１の開閉部材及び開閉構造を示す概略断面図であり、図３は、第２のランナーを示す概略斜視図、図４は第２のランナーを示す分解斜視図である。
【００２７】
図１及び図２に示す例において、会議室などの空間を仕切るためのカーテン式間仕切りユニット（又は開閉構造）の開閉部材を示している。この開閉部材は、アルミニウムの押出成形により形成され、かつ長尺で断面円形状の一対の中空筒状対向部材１，１１と、この対向部材の対向面（対向部）に長手方向に沿って形成されたアリ溝状の装着凹部２，１２（又はアリ溝状の装着凹部２，１２を形成する断面コ字状装着壁３，１３）と、この装着凹部（又は装着壁）に隣接して前記一対の対向部材１，１１の頂部に形成された装着孔部４，１４（又は装着孔部壁５，１５）と、この装着孔部（又は装着孔部壁）に隣接し、先端部が屈曲又は湾曲して狭まった形態で延出する一対の延出規制壁７ａ，７ｂ，１７ａ，１７ｂで形成されたスリット状の抜け止め凹部６，１６とを備えている。装着凹部２，１２は、開口部側が狭まったアリ溝状の形態（開口部側が奥部の凹溝部よりも狭まったほぼ断面コ字状の凹溝部の形態）を有している。前記装着孔部（装着部）４，１４は装着凹部２，１２（又は装着壁３，１３）に隣接して軸方向に貫通して延びる断面四角形状の空孔（開閉方向に対して直行する方向に細幅の孔部）で形成され、抜け止め凹部６，１６は、前記一対の対向部材１，１１の対向面（前記装着凹部２，１２）に対して反対側の側壁（背面部）から延出する一対の延出規制壁（又は舌片状規制壁）７ａ，７ｂ，１７ａ，１７ｂにより断面スリット状の形態（開閉方向に細幅で延びるスリット状凹部の形態）に形成されている。
【００２８】
また、断面円形状の対向部材１，１１は、断面コ字状装着凹部２，１２（又は装着壁３，１３）の開口周縁部と、抜け止め凹部３，１３（又は一対の延出規制壁７ａ，７ｂ，１７ａ，１７ｂ）の開口周縁部とは、断面リング状（円形状）の形態の周壁部８，１８と接続している。そして、前記装着凹部２，１２（又は装着壁３，１３）の幅方向の中央部と抜け止め凹部３，１３の幅方向の中央部とを結ぶ線を中心にして、前記対向部材１，１１は横断面形状が対称形状（線対称の形状）に形成されている。
【００２９】
さらに、前記装着凹部２，１２には、長尺状又は細片状の第１及び第２の軟質マグネット部材９，１９が長手方向に沿って装着され、前記対向部材１，１１の頂部に形成された装着孔部４，１４には、第１のランナー２１の吊り下げ部２６が装着され、前記抜け止め凹部６，１６には間仕切りシート（開閉シート）としてのカーテン３１，３５が抜け止め状態で取り付けられ、間仕切りユニット（又は開閉構造）を形成している。
【００３０】
なお、第１及び第２の軟質マグネット９，１９は磁性粉体と軟質樹脂又はゴムとを含んでおり、前記装着凹部に対応した断面形状を有しており、装着状態において、軟質マグネット部材９，１９の対向部位は装着凹部から突出している。すなわち、軟質マグネット部材９，１９は装着凹部の深さよりも厚く、しかも両側部が幅方向の中央部よりも肉薄に階段状に形成されており、装着凹部２，１２への装着状態において、軟質マグネット部材９，１９の幅方向の中央部（対向部）が装着凹部２，１２から若干突出して互いに対向している。そのため、装着凹部２，１２に対する装着性を高めるとともに脱落を防止できる。特に、軟質マグネット部材９，１９による磁気的吸着性を高めることができるとともに、装着凹部２，１２から突出する軟質マグネット部材９，１９により開閉部材の閉鎖による閉じ音を軽減又は緩衝できる。なお、装着凹部２，１２の端部（下端部）には、キャップ部材（図示せず）が配置され、ネジ（図示せず）でねじ止め固定されている。
【００３１】
特に、開閉部材を位置ずれすることなく閉じるため、一方の対向部材１の装着凹部２の幅方向には、幅方向にＳ極及びＮ極の２極のみを隣接させて第１のマグネット部材９が長手方向に配設され、他方の対向部材１１の装着凹部１２の幅方向には、前記第１のマグネット部材９の磁極に対して反対の磁極であるＮ極及びＳ極のみを向けて第２のマグネット部材１９が長手方向に配設されている。そのため、他方の対向部材１１の軸線に対して一方の対向部材１の軸線が傾斜又は交差した状態で閉じても、位置ずれすることなく、他方の対向部材１１の軸線に対して一方の対向部材１の軸線を一致させて閉じることができる。
【００３２】
さらに、第１のランナー２１は、断面中空四角形状のレール部材３０のスリット状開口部の両側部に形成された走行路３０ａ，３０ｂを走行又は転動可能な一対のローラ部２２ａ，２２ｂと、この一対のローラ部を回転可能に軸支する軸部２３と、アーム状の形態を有し、このローラ部２２ａ，２２ｂ間の軸部２３を回転可能に支持する支持部（支持フレーム部）２４と、この支持部（支持部の台部）に対して周方向（軸芯に沿って）に回転可能に取り付けられた軸部２４と、この軸部に対して揺動可能に取り付けられた揺動リング部材２６と、この揺動リング部材に対して取り付けられた吊り下げ部２７とを備えている。第１のランナー２１は、支持部２４が、前記レール部材３０の長手方向に延びる前記スリット状開口部に挿入された形態で走行可能である。この吊り下げ部２７は、揺動リング部材２６に対して係合した形態で揺動可能な断面Ｕ字状又はコ字状に形成されている。さらに、吊り下げ部２７には、ネジ部材２９が螺合可能な孔部２８が形成され、吊り下げ部２７は、前記対向部材１，１１の装着孔部４，１４に装着された状態で、装着凹部壁５，１５を貫通して螺合可能なネジ部材２９により対向部材１，１１に取り付け可能である。そのため、装着孔部４，１４には、第１のランナー２１の吊り下げ部２７が揺動可能な形態で装着可能である。
【００３３】
さらに、カーテン３１，３５の側端部には、可撓性プラスチックの抜け規制ストリップ（可撓性細状体）３２，３６が縦方向に沿って取り付け可能であり、この抜け規制ストリップ（可撓性細状体）３２，３６は、薄肉部３４，３７と、この薄肉部の一方の側縁部に沿って形成された厚肉部３３，３８とを有しており、ステープラ（ホッチキス）を用い、この薄肉部とカーテン３１，３５とをステープルなどの閉じ部材３９で閉じることにより取り付け可能である。そして、カーテン３１，３５の端部に前記抜け規制ストリップ３２，３６で厚肉部３３，３８を形成した状態で、前記抜け止め凹部６，１６には、縦方向に沿ってカーテン３１，３５の側端部が挿入可能であるだけでなく、横方向に対しては、一対の延出規制壁（又は舌片状規制壁）７ａ，７ｂ，１７ａ，１７ｂの屈曲して狭まった先端部がカーテン３１，３５の厚肉部３３，３８と係止して抜けが規制され、カーテン３１，３５が抜け止め状態で取り付けできる。なお、この例では、抜け止め凹部６，１６へのカーテン３１，３５の装着状態で、厚肉部３３，３８は抜け止め凹部６，１６の開口部側に位置している。
【００３４】
さらに、カーテン３１，３５の上端部は、前記レール部材３０に沿って走行可能な第２のランナー４１で挟着可能であり、第２のランナー４１を介して開閉可能な状態で前記レール部材３０に吊り下げられている。この第２のランナー４１は、前記第１のランナー２１と同様に、前記レール部材３０の走行路３０ａ，３０ｂを走行可能な一対のローラ部４２ａ，４２ｂと、この一対のローラ部を回転可能に軸支する軸部４３と、一対のローラ４２ａ，４２ｂ間の前記軸部４３を回転可能に支持する支持フレーム部４４とを備え、走行ユニットを形成している。前記支持フレーム部４４の下部（この例では、平坦な底部）には、第１のランナー２１と同様に、軸心に沿って回転可能（回動可能）及び抜け不能に回動部材（軸部）４５が取り付けられ、この回動部材（軸部）には、リング部材４６が揺動可能に取り付けられている。
【００３５】
このリング部材４６には、カーテン３１，３５を挟着可能な取り付けユニット４７が取り付けられている。この取り付けユニット４７は、前記リング部材（揺動部材）４６に揺動可能に装着でき、かつカーテン３１，３５が配置（又はカーテン３１，３５を受け入れ）可能な受け部材５１と、この受け部材に係合し、かつ押圧に伴って先端部で前記カーテン３１，３５を挟圧可能な挟圧部材６１と、前記受け部材５１に対して回動可能（開閉可能）に取り付けられ、かつ回動（開閉操作）に伴って前記挟圧部材６１を押圧可能な押圧部材７１とを備えている。
【００３６】
より詳細には、受け部材５１は、一方の端部を除き高さの低い周壁が形成され、全体として長方形状の舟形状の形態を有しており、一方の端部に形成された起立壁５２と、この起立壁の下部から底部にかけて形成された四角形状の装着孔５３と、起立壁５２の両側部がＵ字状に切り欠かれ、前記リング部材（揺動部材）４６が遊嵌して揺動自在に装着可能な切り欠き部（又は切り欠き凹部）５４と、この切り欠き部に隣接する両側部に形成された支持壁部（支持段部）５５と、この支持壁部よりも先端部側（前方側）の両側部に形成された側壁部（高さの大きな側壁部）５６と、この両側壁部に形成された軸支孔５７とを備えている。なお、受け部材５１の底部には、長手方向に盛り上がって延びるリブ部５８が形成され、受け部材５１の強度を高めている。
【００３７】
前記挟圧部材６１は、板バネ材で形成され、一方の端部よりも他方の端部側が押圧部材７１側に隆起し、先端部で受け部材５１側に湾曲又は屈曲した形態を有している。すなわち、挟圧部材６１は、受け部材５１との係合部（起立壁５２）よりも前方域に形成された被押圧部６１ａと、この被押圧部から前方域に形成され、かつ前記押圧部材７１側に近づく方向に湾曲又は屈曲した傾斜壁部６１ｂと、この傾斜壁部の先端部から延出する延出部（被押圧部６１ａと平行に延出する延出部）６１ｃと、この延出部の先端部からで受け部材５１側に屈曲又は下降する挟圧壁６１ｄとを有している。
【００３８】
前記挟圧部材６１は、一方の端部に形成され、前記起立壁５２の装着孔５３に装着して装着孔の周壁と係合可能な支点突出部６２と、一方の端部の両側方に延び、かつ前記支持壁部５５で支持可能な支持突出部６３と、先端部（他方の端部側）の前記挟圧壁６１ｄに形成された歯状の挟圧部６４とを備えている。受け部材５１と挟圧部材６１との係合部は、起立壁５２の装着孔５３に装着した支点突出部６２が係合して形成される。なお、挟圧部材６１には、長手方向に延びるリブ部６５（前記被押圧部６１ａから延出部６１ｃへ傾斜壁部６１ｂを跨いで長手方向に延びるリブ部）が形成されている。
【００３９】
押圧部材７１は、全体として内側が窪んだ甲羅状の形態（幅方向の中央部を中心として幅方向又は左右方向に湾曲した形態）を有し、一方の端部には、受け部材５１側（下方）に向かって膨出（下降又は延出）して湾曲した押圧壁７２が、受け部材５１側に傾斜又は屈曲して形成されている。この押圧壁７２の両側部には、前記受け部材５１の軸支孔５７に回動自在に装着可能な軸支部７３と、この軸支部を中心とする閉じ操作に伴って前記挟圧部材６１を押圧可能な押圧部７４とを備えており、この押圧部７４は押圧壁７２の先端部の膨出部（又は湾曲部）で形成されている。閉じ状態で押圧壁７２及び押圧部材７１が開方向（解除方向）に回動するのを規制するため、押圧部材７１による押圧力を維持するため、閉じ状態において、押圧壁７２の先端部（押圧部７４）は軸支部７３よりも一方の端部側（起立壁５２側）に位置している。すなわち、押圧壁７２は受け部材５１側にいくにつれて一方の端部側（起立壁５２側）に傾斜している。
【００４０】
このような取付ユニット４７は、受け部材５１の起立壁５２の装着孔５３に挟圧部材６１の支点突出部６２を挿入し、受け部材５１の支持壁部５５に挟圧部材６１の支持突出部６３を支持させると、装着孔５３の開口上部内壁よりも支持壁部（支持段部）５５が若干上部（押圧部材７１側）に位置するため、装着孔５３での支点突出部６２の係合部を支点として、挟圧部材６１の押圧壁７２が持ち上がった形態となる。このような状態で、前記受け部材５１の両側壁部５６の軸支孔５７に押圧部材７１の軸支部７３を装着し、押圧部材７１を回動させて閉じると、閉じ操作に伴って、押圧部７４で挟圧部材６１の被押圧部６１ａを押圧しつつ、挟圧部材６１の挟圧壁６４で受け部材５１を押圧できる。そして、押圧壁７２が傾斜しているため、回動する押圧部７４の先端部が最下部を通過すると、押圧部７４の先端部（押圧部７４）が軸支部７３よりも起立壁５２側に位置し、押圧部材７１による閉じ操作が弾発的に完了する。そのため、受け部材５１と挟圧部材６１との間にカーテン３１，３５を配置し、押圧部材７１を受け部材５１側に傾倒させることにより、受け部材５１と挟圧部材６１の挟圧壁６４とでカーテン３１，３５を強固に挟圧又は挟着でき、受け部材５１と挟圧壁６４とで一対の挟圧部を形成できる。また、閉じ状態から押圧部材７１を逆方向に回動して開状態に戻すことにより、カーテン３１，３５の挟圧又は挟着を容易に解除できる。そのため、シートの取付及び交換作業を円滑に行うことができるとともに、カーテン３１，３５の挟圧又は挟着位置も容易に修正できる。さらに、カーテン３１，３５に装着孔や装着孔を補強するための補強部（ハトメ部）を形成しなくても、第２のランナー４１の取り付けユニット４７でカーテン３１，３５を挟圧又は挟着できる。従って、レール部材３０にランナー４１を走行自在に配置した状態で、カーテン３１，３５を簡便かつ効率よく取付又は交換でき、開閉式間仕切り構造を簡単な操作で形成できる。
【００４１】
このような開閉部材及び間仕切りユニットでは、レール部材３０に沿って開閉部材（一対の対向部材１，１１）を移動させ、一対の軟質マグネット部材９，１９の磁気的吸着力を利用して、他方の対向部材１１に対して一方の対向部材１が位置ずれすることなく、閉鎖時の閉じ音を低減しつつ、所定の空間をカーテン３１，３５で円滑に仕切ることができる。しかも、第１のランナー２１の取り付けが容易であるだけでなく、押さえ部材およびネジ部材を用いることなく、ステープラ（ホッチキス）などにより側端部に厚肉部３３，３８を簡便かつ簡単に形成できるとともに、厚肉部３３，３８を形成したカーテン３１，３５を抜け止め凹部６，１６に簡便かつ容易に取り付けることができる。さらに、対向部材１，１１および開閉部材が横断面において対称な構造を有しているため、部品点数を低減できるだけでなく、開閉部材および開閉構造の構造を簡素化できる。さらには、取り付けユニット４７の挟圧又は挟着機構を利用して、レール部材３０に沿って走行可能な第２のランナー４１をカーテン３１，３５に簡単に取り付けることができる。
【００４２】
［対向部材］
一対の対向部材は、マグネット部材の装着凹部（断面コ字状装着壁）と、第１のランナーの装着部と、間仕切りシート（開閉シート）の抜け止め凹部（抜け止め凹部壁）とを備えていればよく、筒状（円筒状、柱状など）、板状などの種々の棒状体であってもよい。例えば、前記対向部材の断面形状は、円形状、楕円形状、多角形状［三角形状、四角形状（正方形状、長方形状など）、五角形状、六角形状など］などであってもよい。一対の対向部材は、通常、棒状の長尺部材である場合が多いものの、間仕切り空間（又は用途）によっては長さが短い短尺部材であってもよい。
【００４３】
また、前記対向部材（特に、移動可能な対向部材）は、中実状であってもよいが、軽量化するためには中空状であるのが有利である。なお、前記対向部材は、一部に中空部を有していてもよいが、全体が中空状である場合が多い。前記一対の対向部材は、それぞれ、異なる材料で形成されていてもよく、同じ材料で形成されていてもよい。前記一対の対向部材は、木材、プラスチックなどで形成してもよく、強度の面から、アルミニウムなどの金属で形成してもよい。
【００４４】
さらに、対向部材において、マグネット部材の装着凹部（断面コ字状装着壁）の開口周縁部と、抜け止め凹部（抜け止め凹部壁）の開口周縁部とを周壁部で接続し、この周壁部を、断面リング状（円形状、楕円形）又は断面多角枠状（コ字状、三角枠状、四角枠状など）の形態に形成してもよい。
【００４５】
また、対向部材の横断面形状（対向部材の長手方向に対して直行する方向の断面形状）は、非対称構造であってもよいが、対称構造であるのが有利である。横断面形状が対称な構造は、少なくとも一方の対向部材（特に、第１のランナーにより可動な対向部材）が有していればよく、双方の対向部材が有していてもよい。この対称構造は、部品点数を低減し、かつ構造を簡素化できる限り特に制限されないが、開閉方向を中心線として、対称であるのが好ましい。例えば、マグネット部材の装着部位（例えば、前記装着壁の幅方向の中央部）と間仕切りシートの取り付け部位（例えば、抜け止め凹部の幅方向の中央部）とを結ぶ線を中心にして、前記対向部材は横断面形状が対称形状に形成されているのが好ましい。さらに、後述するように、対向部材（特に、可動な対向部材）は、開閉操作のための操作壁又は操作部を備えていてもよい。
【００４６】
［装着凹部及びマグネット部材］
互いに対向可能な一対の対向部材の対向面にはそれぞれ長手方向にマグネット部材が装着可能な装着凹部（又は装着凹部壁）が形成されている。装着凹部（又は装着凹部壁）は、一対の対向部材の対向面に長手方向（又は縦方向）に形成され、例えば、一対の対向部材の両端部を残して長手方向に延びて形成してもよく、部分的に（例えば、長手方向に沿って離散して）形成してもよいが、通常、一対の対向部材の長手方向（又は軸方向）に沿って全長に亘り形成する場合が多い。装着凹部の断面形状は、マグネット部材が装着可能である限り特に制限されず、例えば、断面コ字状、断面多角形状（三角形状、四角形状など）であってもよい。マグネット部材は、装着凹部に対して嵌合、係合などの形態で装着してもよいが、開閉部材の組み立て操作を簡単にするためには、装着凹部に対して摺動可能に装着するのが好ましい。好ましい装着凹部は、マグネット部材が対向面の方向（開閉方向）に移動するのを規制するため、開口部が狭まったアリ溝状（例えば、断面台形状、断面コ字状、階段状の凹部など）、通常、アリ溝状の断面コ字状装着凹部として形成できる。
【００４７】
本発明では、一方の対向部材の軸線に対して第２の対向部材の軸線がずれたり交差又は傾斜していても、自己修復的に確実かつ正確に軸線を一致させて磁着させるため、一対の対向部材の装着凹部に、それぞれ、幅方向にＳ極及びＮ極の２極のみを隣接させ、かつ互いに反対の磁極を向けて第１及び第２のマグネット部材を装着するのが重要である。すなわち、前記一方の対向部材（又は前記装着凹部）の幅方向に異なる磁極（Ｎ極及びＳ極）を隣接させて第１のマグネット部材を配設し、他方の対向部材（又は前記装着凹部）の幅方向にも異なる磁極（Ｎ極及びＳ極）を隣接させて第２のマグネット部材を配設させる。そして、前記一対の対向部材の対向面で、反対の磁極（Ｎ極に対してはＳ極、Ｓ極に対してはＮ極）を向けて第１及び第２のマグネット部材を対向させると、閉じ操作において、確実に位置決めしつつ開閉部材を閉じることができる。
【００４８】
さらに、開閉部材の長さ方向に軸線を一致させて確実かつ精度よく閉じるためには、第１及び第２のマグネット部材を長手方向に沿って装着することも重要である。すなわち、マグネット部材は、対向部材の長手方向に散在させて（例えば、対向部材の長手方向に複数のマグネット部材を間隔をおいて規則的に又は非規則的に）配設してもよいが、マグネット部材の配設部位での磁気的吸着力が弱く、一対の対向部材を緊密に閉止できない場合がある。これに対して、対向部材の長手方向に沿って所定長さで第１及び第２のマグネット部材を配設すると、磁極により一対の対向部材の軸線を確実に揃えつつ閉止できる。そのため、対向部材の長さ方向の適所にマグネット部材を所定の長さ（例えば、対向部材の長さの５０％以上、好ましくは７０％以上、さらに好ましくは８０％以上の長さ）で配設するのが好ましく、特に、対向部材の全長又はほぼ全長に亘り（例えば、長手方向の両端部を除き、全長に亘り）マグネット部材配設すると、一対の対向部材を全長に亘り軸線を一致させて緊密に閉止できる。
【００４９】
マグネット部材は、金属の磁石類で形成してもよいが、加工性に優れ、軽量で長細又は細幅状に形成でき、閉じ音を低減するため、軟質マグネット部材で形成するのが好ましい。軟質マグネット部材（ゴム磁石部材、又はラバーマグネット部材）は、磁性粉体と、樹脂、特に軟質樹脂（熱可塑性樹脂、熱硬化性樹脂、合成ゴムなど）とを含んでいる。
【００５０】
本発明は開閉部材が片開き方式（一方の対向部材が固定され、一方の方向に開く方式）、及び開閉部材が両開き方式（左右両方向に開閉できる方式）のいずれにも適用でき、双方の対向部材にマグネット部材（特に、軟質マグネット部材）が配設されていてもよい。
【００５１】
なお、マグネット部材は装着凹部から突出している必要はなく、装着凹部（装着凹部壁）の両端部とほぼ同一面又は装着凹部（装着凹部壁）よりも内部位置にマグネット部材の表面を位置させてもよい。マグネット部材の磁力を有効に利用するためには、マグネット部材は、装着凹部（装着凹部壁）とほぼ同一面又は装着凹部（装着凹部壁）から突出しているのが好ましい。通常、第１および第２のマグネット部材は、前記一対の対向部材の対向面に長手方向に延びるアリ溝状の装着凹部に摺動可能に装着され、かつ装着凹部（装着凹部壁）から突出している。
【００５２】
また、マグネット部材の対向面は、平坦であってもよく、凹凸形状を有していてもよく、必要であれば、吸着音を低減するため、少なくとも一方のマグネット部材の対向面は樹脂（軟質樹脂など）などで被覆又はコーティングしてもよい。
【００５３】
前記マグネット部材を装着凹部に誤った方向に装着するのを防止するため、マグネット部材及び／又は対向部材（装着凹部を含む）（特に、少なくともマグネット部材）には、マーカーを付してもよく、このマーカーは磁極（Ｎ極及びＳ極）と装着方向又は装着位置と関連させて付してもよい。
【００５４】
［レール部材、装着部、及び第１及び第２のランナー］
［レール部材］
レール部材又はガイド部材は、第１及び第２のランナーが走行可能である限り、開閉空間又は間仕切り部位に応じて、直線状であってもよく、湾曲していてもよい。さらに、必要であれば、レール部材は、閉じた枠状（多角枠状、リング状、又はループ状など）の形態で配設してもよい。レール部材は、開閉部材がレール部材に沿って自動的に移動する程度に傾斜していてもよく、僅かに傾斜して配設してもよいが、通常、開閉部材がレール部材に沿って自動的に移動しない程度にほぼ同じ高さ位置で、横方向（対向部材の長手方向に対して直交する横方向に）又は水平方向に延びて配設できる。すなわち、傾斜することなく、ほぼ同じ高さ位置で延びて（横方向に直線的に延びて）配設されている。なお、レール部材は、高さ方向に対して前後方向には湾曲していてもよい。
【００５５】
レール部材又はガイド部材の構造は特に制限されず、スリット状通路を有する断面中空状であってもよく、ランナーの走行ユニット（例えば、ローラ部（ロール部又は車輪部））が走行又は転動可能な走行路を有している場合が多く、この走行路は、断面中空レール部材又はガイド部材では、長手方向に延びるスリット状開口部（スリット状通過路）の両側部に形成してもよく、両側壁から外側に延出させて形成してもよい。
【００５６】
［対向部材の装着部、第１のランナーなど］
レール部材に吊り下げた状態で、対向部材を移動又はスライドさせるため、少なくとも一方の対向部材の頂部（又は上部）にはレール部材に沿って移動又はスライド可能な第１のランナーが取り付けられる。第１のランナーは、一対の対向部材のうち少なくとも可動な対向部材（開閉操作する対向部材）に取り付ければよく、他方の対向部材は、壁、柱などの固定部に固定された部材であってもよく、双方の対向部材が、互いに近接又は離反する方向に移動可能（又はスライド可能）な部材であってもよい。第１のランナーを装着するための装着部は、開閉方式に応じて、少なくとも一方の対向部材（第１のランナーにより可動の対向部材）の頂部（又は上部）に形成すればよい。すなわち、第１のランナーを介してレール部材に吊り下げられた状態で開閉部材を開閉するため、片開き方式では一方の対向部材（可動の対向部材）の頂部（又は上部）に形成すればよく、両開き方式では互いに対向する双方の対向部材の頂部（又は上部）に形成すればよい。
【００５７】
好ましい態様では、第１のランナーの装着部（又は装着孔部）は、第１のランナーの吊り下げ部の形態に応じて、マグネット部材の装着凹部（又は装着凹部壁、装着壁）に隣接（開閉方向に隣接）して、例えば、装着孔部壁として形成でき、前記装着部には、第１のランナーの吊り下げ部が装着可能（例えば、第１のランナーが揺動可能な形態で装着可能）である。第１のランナーの装着部（又は装着孔部）は、対向部材の成形とともに形成するため、軸方向に貫通して延びる空孔を形成する装着孔部壁で形成できる。
【００５８】
第１のランナーは、レール部材又はガイド部材に沿って走行可能であり、かつ前記対向部材に対して取り付け可能な取り付け部を有していればよく、第１のランナーの構造は特に制限されない。例えば、第１のランナーは、レール部材に沿って走行可能な走行ユニットと、この走行ユニットを前記対向部材に取り付けるために取付部材（吊り下げ部）とで構成できる。走行ユニットは、通常、レール部材上を移動又は滑走可能なスライド部材（特に、レール部材上を転動可能な転動部材（ローラ部又は車輪部）など）と、このローラ部を回転可能に軸支する軸部と、この軸部を回転可能に支持する支持部（支持フレーム部）とを備えている。転動部材（ローラ部又は車輪部）は１つ又は一対のローラ又は車輪で形成してもよく、ベアリングで構成してもよい。支持部（支持フレーム部）は、前記軸部の軸芯方向の中央部（一対のロール部又は車輪部の間）に限らず、軸部の両側部を回転可能に支持してもよい。また、支持部の形態は特に制限されず、上方に逆Ｕ字状又はコ字状の形態で突出するアーチ状などの形態であってもよく、支持部の下部には、軸部や吊り下げ部が取り付け又は係止可能な取り付け部位（取り付け座、係止座など）を有していてもよい。
【００５９】
取付部材（吊り下げ部）は、走行ユニットに対して回動可能及び／又は揺動可能に取り付けることができ、走行ユニットと取付部材（吊り下げ部）とをチェインなどの線状連結部材で連結してもよい。好ましい態様では、走行ユニット（又は前記支持部又は支持フレーム部）と取付部材（吊り下げ部）との間には前記回動部材及び／又は前記揺動部材が介在している。すなわち、走行ユニットは、通常、支持部に抜け不能な形態で遊嵌して周方向に回動可能に取り付けられた回動部材（軸部）と、この回動部材に揺動可能に取り付けられた揺動部材（リング部）とを備えており、この揺動部材（リング部）に取付部材（吊り下げ部）が取り付けられる。回動部材は、通常、軸状又は棒状の回転軸部材の形態を有し、走行ユニット（又は前記支持部又は支持フレーム部）の軸芯を中心として、前記支持部（又は支持フレーム部）の下部に取り付けられる。
【００６０】
揺動部材は、回動部材から垂下して揺動可能であればよく、例えば、前記回動部材の下部に形成した貫通孔を利用して揺動部材を揺動可能に装着してもよい。揺動部材は、通常、リング状の形態（例えば、多角枠状、通常、円形枠状、楕円形枠状、四角枠状）を有していてもよい。
【００６１】
取付部材（吊り下げ部）は、揺動可能な形態で対向部材の上部（又は頂部）に取り付けられ、取付部材（吊り下げ部）は、断面Ｕ字状又はコ字状に限らず、少なくとも下部が板状であってもよく、対向部材の装着孔部壁に形成した孔部に対して係合可能な鈎状（又はフック状）などであってもよい。また、取付部材（吊り下げ部）は、装着孔部壁に形成された被係合部［突起又は凹部（又は孔部）など］に対して係合可能な係合部［凹部（又は孔部）、凸部など］を有していてもよい。さらに、取付部材（吊り下げ部）は、装着孔部壁を跨いで外壁に沿って装着してもよい。好ましい態様では、取付部材（吊り下げ部）は、装着孔部壁の内壁内に装着する場合が多い。
【００６２】
なお、対向部材に対する第１のランナーの取り付けは、前記のようにネジ部材に限らず、対向部材の装着孔部壁及び第１のランナーの取付部材（吊り下げ部）に形成した孔部を貫通可能なピンなどを用いてもよく、前記のように、鈎状部や、凹部（又は孔部）と凸部とを利用した係合機構を利用してもよい。
【００６３】
なお、可動な対向部材の下部は、レール部材によりスライド可能に支持されていてもよい。例えば、対向部材の下部（又は下端面）にレール部材に沿ってスライド又は転動可能なランナー又はローラ部材を取り付けてもよい。
【００６４】
さらに、一対の対向部材は、レール部材に沿って互いに相対的に対向面が離反又は近接する方向へ移動又はスライド可能であればよく、他方の対向部材に対して、一方の対向部材が相対的にスライド可能であればよい。すなわち、他方の対向部材が固定部（壁部、柱部、天井部及び床部など）に固定され、この固定された他方の部材に対して、一方の対向部材が移動又はスライド可能であってもよく、一対の対向部材が互いに移動又はスライド可能であってもよい。一対の対向部材の対向面は、移動又はスライドにより、開閉方向に対して直行する方向（摺接する形態で側壁が対向する形態、又は対向部材が互いに重なり合う形態）で対向してもよいが、通常、対向面が互いに突き合わせ状態で近接又は離反する。
【００６５】
［第２のランナー］
第２のランナーは、レール部材に沿って走行可能な走行ユニットと、この走行ユニットに取り付けられ、かつシートの上部に取り付け可能な取り付けユニットとを備えていてもよい。なお、前記走行ユニットは、前記第１のランナーの前記走行ユニットと同様に構成でき、転動部材（ロール部又は車輪部）、軸部、支持部（支持フレーム部）とで構成でき、走行ユニットと取り付けユニットとの間には、前記と同様の回動部材（軸部材）及び／又は前記揺動部材（リング部材）が介在していてもよい。
【００６６】
取り付けユニットは、シートに取り付け可能であればよく、シートの孔部に係合可能なフック部材（Ｓ字状の係合部材、鈎状、Ｕ字状フック部材、開閉ピンなどで開閉可能な開閉部を有する長円状などのリング部材など）で形成してもよい。好ましい取り付けユニットは、シートにハトメ加工などを施すことなく、簡単な取り付け操作でシートに取り付けるため、シートを挟圧又は挟着機能により取り付け可能な挟着機構、例えば、開方向から閉じ方向にバネにより付勢され、シートを吊り下げた状態で挟圧又は挟着可能な少なくとも一対の挟圧部を備えた挟着機構を備えている。
【００６７】
前記取付ユニットは、例えば、一対の挟持部材が閉じ方向に付勢された挟圧又は挟着部材、例えば、洗濯ばさみ、ダブルクリップなどと称される挟圧又は挟着部材で構成してもよい。シートを強固に挟圧又は挟着するため、取付ユニットは、前記揺動部材が装着可能であり、かつシートが配置（又はシートを受け入れ）可能な受け部材と、この受け部材に係合（例えば、一方の端部が係合）し、かつ押圧に伴って先端部で前記シートを挟圧可能な挟圧部材と、前記受け部材に対して回動可能（開閉可能）に取り付けられ、かつ回動（開閉操作）に伴って前記挟圧部材を受け部材方向に押圧可能な押圧部材とを備えているのが好ましい。
【００６８】
受け部材は、前記構造に限らず、挟圧部材とともに一対の挟圧部を形成すればよい。受け部材は、挟圧部材を回動可能に取り付けるため、挟圧部材に対する装着孔を有しており、通常、一方の端部に形成された起立壁に装着孔が形成されている。この装着孔の高さ位置は特に制限されないが、挟圧部材の先端部を開放してシートの配置又は受け入れを容易にするため、通常、起立壁の下部に形成する場合が多い。また、支持壁部を必ずしも必要ではないが、受け部材には、挟圧部材を支持するための挟圧部材の先端部を開放させるため、支持壁部（前記装着孔の上部内壁と同じ又は上部内壁よりも高い位置に形成した支持壁部）を形成するのが有利である。さらに、受け部材には、押圧部材を回動可能に支持又は軸支するため、支持壁部よりも先端部側の両側部に形成された側壁部と、この両側壁部に形成された軸支孔とを備えているのが好ましい。この軸支孔の高さ位置は、前記支持壁部と同じ又は支持壁部よりも高いのが好ましい。
【００６９】
さらに、取付ユニットには揺動部材を不動状に装着又は取り付けてもよいが、揺動部材を揺動自在（又はリング部材が摺動及び揺動自在）に装着するのが好ましい。特に、揺動部材は、取付ユニットに遊嵌して揺動自在（摺動及び揺動自在）に装着可能なリング部材で構成するのが好ましい。例えば、受け部材の前記起立壁（一方の端部に形成された起立壁）の両側部に、揺動部材としてのリング部材が遊嵌して摺動可能な切り欠き部（コ字状又はＵ字状切り欠き部など）を形成し、この切り欠き部にリング部材を装着することにより、取付ユニットに揺動部材としてのリング部材を取り付けてもよい。
【００７０】
挟圧部材は、前記受け部材に対して回動するための支点を形成する場合が多く、通常、前記受け部材の装着孔（例えば、起立壁の装着孔）に係合又は装着可能な支点突出部を有している。また、前記受け部材の支持壁部で支持するため、挟圧部材は、両側方に翼状に延び、かつ前記支持壁部で支持可能な支持突出部を有している場合が多い。さらに、挟圧部材は、受け部材と関連してシートを挟圧又は挟着するため、先端部に挟圧部とを備えており、この挟圧部の先端部（挟持面）は、シートに対する抜け止め性を高めるため、凹凸加工してもよく、凹凸状又は歯状に形成してもよい。
【００７１】
挟圧部材は、バネ弾性を利用して回動（挟圧又はその解除）操作を円滑にするとともに強固にシートを挟圧又は挟着するため、バネ変形可能な部材（例えば、板状のバネ部材）であるのが好ましい。このようなバネ部材を用い、挟圧部材の一方の端部を受け部材に係合させ、他方の端部（先端部）を持ち上げた状態で受け部材の支持壁部で支持し、押圧部材の押圧解除操作（挟圧部材の一方の端部側への回動操作）をすると、バネ弾性により、挟圧部材の他方の端部（先端部）が弾発的（バネ）に起きあがり、受け部材と挟圧部材との一対の挟圧部が迅速に開放する。開放した一対の挟圧部の間にシートを配置し、押圧部材の閉じ方向に回動させると、挟圧部材の挟圧部でシートを挟圧でき、押圧部材を伏倒させると、押圧部材が開方向へ回動するのを規制しつつ、挟圧部材の挟圧部でシートを強固に挟圧又は挟着できる。そのため、シートの取付又は交換作業を円滑に行うことができる。
【００７２】
なお、挟圧部材の断面形状は特に制限されず、平板状であってもよく、受け部材との係合部よりも前方域（先端部側）が押圧部材側に近づく方向に湾曲又は屈曲した形状であってもよい。例えば、挟圧部材は、受け部材との係合部よりも前方域（先端部側）に形成された被押圧部と、この被押圧部よりも前方域に形成され、前記押圧部材側に近づく方向に湾曲又は屈曲して形成された傾斜壁部と、この傾斜壁部の先端部で受け部材側に屈曲又は下降する挟圧壁とを備えていてもよく、この挟圧壁には歯状の挟圧部を形成してもよい。また、被押圧部は平坦である場合が多く、傾斜壁部と挟圧壁との間には傾斜壁部から被押圧部とほぼ平行に延びる延出部が介在していてもよい。
【００７３】
押圧部材は、前記受け部材に対して回動自在であり、かつ前記挟圧部材を押圧可能であればよい。例えば、押圧部材は、回動操作に伴って挟圧部材を押圧するため、カム機構を備えていてもよい。
【００７４】
押圧部材は、通常、前記受け部材の軸支孔に回動自在に装着可能な軸支部と、この軸支部を中心とする閉じ操作に伴って閉じ状態で前記挟圧部材（少なくとも挟圧部材の被押圧部）を押圧可能な押圧部（押圧壁）とを備えている。また、通常、軸支部と押圧部（押圧壁）との間は、回動操作するための操作部を形成している。この押圧部は押圧部材の一方の端部が屈曲又は湾曲して形成され、挟圧部材を押圧するのに適した高さの押圧壁である場合が多い。この押圧部（押圧壁）の形状は、下部（挟圧部材と接する側）が湾曲した湾曲形状に限らず、下部が平坦な形状、下部が凹凸した形状などであってもよい。
【００７５】
さらに、押圧部（押圧壁）は、閉じ状態において（又は操作部に対して）、垂下（例えば、受け部材に対する軸支部又はこの軸支部よりも少し一方の端部側（起立壁側）から垂下）していてもよく、一方の端部（受け部材の起立壁方向）又は先端部（他方の端部）方向に傾斜していてもよい。好ましい態様では、押圧部（押圧壁）は、垂下しているか、若しくは一方の端部（受け部材の起立壁方向）に傾斜している。押圧部（押圧壁）がこのような形態で傾斜していると、閉じ状態で回動する押圧部（押圧壁）の先端部が最下部（垂下部）に位置するとき最も強い押圧力が作用し、最下部を通過すると、押圧部の先端部が軸支部よりも起立壁側に位置し、押圧部材による閉じ操作が弾発的に完了するとともに、押圧部が開方向へ回動するのを規制できる。
【００７６】
受け部材と挟圧部材との間には、シートの密着性を高め、取付ユニットからのシートの脱落を防止するため、ゴム部材（又はクッション材）、滑り止め部材などを配設してもよい。
【００７７】
さらに、歯状の挟圧部は必ずしも必要ではないが、挟圧部を歯状又は凹凸状に形成することにより、シートの脱落を有効に防止できる。受け部材の先端部を挟圧部材よりも前方位（他方の端部側）に位置させ、受け部材の先端部に挟圧部材側に向いた歯状部（歯状の挟圧部）を形成してもよく、挟圧部材の先端側は、前記と同様に、受け部材側に屈曲させて挟圧壁を形成してもよく、この挟圧壁の先端部には歯状の挟圧部（歯状部）を形成してもよい。すなわち、受け部材の歯状部を、挟圧部材の歯状の挟圧部よりも前方位（他方の端部側）に位置させ、２つの歯状部でシートの異なる位置を挟圧又は挟着してもよい。
【００７８】
歯状の挟圧部は、受け部材及び挟圧部材の適所に形成することができ、受け部材の周壁（周壁の一部（１又は複数箇所）又は全周壁）に形成してもよい。歯状の挟圧部は、少なくとも挟圧部材の先端部に受け部材側に向けて形成してもよい。さらに、挟圧部材及び受け部材の双方に歯状の挟圧部を形成する場合、互いに噛み合わせ可能な位置及び形態に形成してもよい。例えば、挟圧部材及び受け部材の先端部に、互いに向き合って歯状部を形成してもよい。
【００７９】
第２のランナーは、例えば、以下のようなランナーであってもよい。
【００８０】
（１）開方向から閉じ方向にバネにより付勢され、シートを挟圧可能な少なくとも一対の挟圧部を備えている第２のランナー、
（２）走行ユニットに対して回動可能に取り付けられた回動部材と、この回動部材に対して揺動可能に取り付けられた揺動部材と、この揺動部材に取り付けられ、かつシートを挟圧して吊り下げた状態で取り付けるための取付ユニットとを備えており、前記取付ユニットが、前記揺動部材が装着可能であり、かつシートが配置可能な受け部材と、この受け部材に係合し、かつ押圧に伴って先端部で前記シートを挟圧可能な挟圧部材と、前記受け部材に対して回動可能に取り付けられ、かつ回動に伴って前記挟圧部材を押圧可能な押圧部材とを備えている第２のランナー、
（３）取付ユニットが揺動部材に対して揺動自在に装着されている第２のランナー、
（４）揺動部材が、取付ユニットに遊嵌して揺動自在に装着可能なリング部材で構成されている第２のランナー、
（５）受け部材が、一方の端部に形成された起立壁と、この起立壁の両側部が切り欠かれた切り欠き部とを備え、揺動部材が、前記切り欠き部に揺動自在に装着されたリング部材で構成されている第２のランナー、
（６）受け部材が、一方の端部に形成された起立壁と、この起立壁に形成された装着孔と、この装着孔よりも先端部側の両側部に形成された支持壁部と、この支持壁部よりも先端部側の両側部に形成された側壁部と、この両側壁部に形成された軸支孔とを備えており、挟圧部材が、前記起立壁の装着孔に係合可能な支点突出部と、両側方に延び、かつ前記支持壁部で支持可能な支持突出部と、先端部に形成された歯状の挟圧部とを備えており、押圧部材が、前記受け部材の軸支孔に回動自在に装着可能な軸支部と、この軸支部を中心とする閉じ操作に伴って前記挟圧部材を押圧可能な押圧部とを備えている第２のランナー、
（７）挟圧部材が、受け部材との係合部よりも前方域に形成された被押圧部と、この被押圧部から前方域に形成され、前記押圧部材側に近づく方向に湾曲又は屈曲して形成された傾斜壁部と、この傾斜壁部の先端部で受け部材側に屈曲又は下降する挟圧壁と、この挟圧壁に形成された歯状の挟圧部とを備えており、押圧部材が、閉じ状態で少なくとも挟圧部材の被押圧部を押圧可能な押圧部を備えている第２のランナー、
（８）受け部材に、シートと接触して挟圧部材により挟圧可能なゴム部材又は滑り止め部材が配設されている第２のランナー、
（９）挟圧部材よりも受け部材の先端部が前方位に位置し、かつ受け部材の先端部に挟圧部材側に向いた歯状部が形成されている第２のランナー、
（１０）挟圧部材及び受け部材の先端部に、互いに向き合って歯状部が形成されている第２のランナー、
（１１）挟圧部材が、バネ変形可能な部材である第２のランナー。
【００８１】
［抜け止め凹部及び間仕切りシート（開閉シート）］
抜け止め凹部（抜け止め凹部壁）は、少なくとも一方の対向部材に形成でき、かつ間仕切りシート（開閉シート）を抜け止め状態で取り付け可能であればよい。抜け止め凹部（抜け止め凹部壁）は、開閉又は移動不能な固定された他方の対向部材（例えば、天井部及び床部などの固定部に取り付けられた対向部材）に形成してもよいが、少なくとも開閉可能な可動の対向部材に形成する場合が多い。
【００８２】
抜け止め凹部（抜け止め凹部壁）は、対向部材の対向面に対して反対側の側壁に形成でき、通常、前記側壁から延出して形成できる。抜け止め凹部（抜け止め凹部壁）は、断面形状を対称形状とするため、対向部材の開閉方向に対して直行する幅方向の中央部に形成するのが有利である。
【００８３】
抜け止め凹部（抜け止め凹部壁）は、例えば、対向部材の側壁から延出する一対の規制壁によりスリット状に形成でき、この一対の規制壁は、対向部材の軸方向（縦方向又は長手方向）に連続して又は間隔をおいて形成できる。好ましい態様では、抜け止め凹部（抜け止め凹部壁）は、対向部材の軸方向（縦方向又は長手方向）に沿って延びる一対の延出規制壁（又は舌片状規制壁）によりスリット状に形成できる。また、抜け止め凹部（抜け止め凹部壁）は、通常、第１のランナーの装着孔部壁に隣接して形成できる。
【００８４】
抜け止め凹部（抜け止め凹部壁）の形態は、間仕切りシート（開閉シート）の挿入を許容し、間仕切りシートの抜けを規制する形態、すなわち、間仕切りシートを抜け止め状態で取り付け可能である限り特に制限されず、前記側壁から延出する一対の延出規制壁（又は舌片状規制壁）などで形成できる。例えば、抜け止め凹部に間仕切りシートの端部を挿入した状態で、一対の規制壁（抜け止め凹部壁）間で間仕切りシートの抜けを規制してもよく、間仕切りシートの抜けには、例えば、一対の規制壁（抜け止め凹部壁）を貫通する貫通部材（ピンやネジ部材、ボルトなど）、他方の規制壁に対して間仕切りシートを押圧又は挟圧する部材（例えば、一方の規制壁に螺合可能な螺合部材など）などを利用できる。
【００８５】
間仕切りシートを簡便かつ容易に装着するためには、少なくとも先端部で間仕切りシートを係止可能な形態、例えば、先端部が狭まった一対の規制壁で形成でき、先端部は湾曲して又は屈曲して狭まっていてもよい。特に、間仕切りシートの側端部に厚肉部（肉厚な抜け規制部）を形成し、この厚肉部を一対の規制壁間に挿入すると、抜け止め凹部から厚肉部の抜けを一対の規制壁で規制でき、間仕切りシートの開閉方向（横方向）への抜けを有効に規制又は防止できる。
【００８６】
このような厚肉部（肉厚な抜け規制部）は、種々の態様で形成でき、間仕切りシートの側端部に沿って縦方向に連続して形成してもよく、間隔をおいて複数の肉厚部を形成してもよい。さらに、厚肉部は、例えば、間仕切りシートの側端部を折り畳んで折り畳み状態を固定した折り畳み部で形成してもよく、間仕切りシートの側端部に取り付け可能な細幅又はストリップ状の細状体又は帯状体などで形成できる。この細状体又は帯状体は、剛性又は硬質であってもよく、可撓性又は軟質であってもよく、布帛、プラスチック、金属などで形成してもよい。細状体又は帯状体は、通常、可撓性又は軟質である場合が多く、例えば、軟質塩化ビニル樹脂、オレフィン系樹脂などの軟質又は可撓性樹脂で形成してもよい。
【００８７】
細状体による厚肉部は、例えば、細状体又は帯状体を、前記ステープルや縫合（ステッチなど）などの機械的方法、接着剤による接着などの化学的方法、熱圧着や融着などの熱的方法などの種々の方法で間仕切りシートに取り付けることにより形成できる。
【００８８】
さらに、細状体又は帯状体は、厚肉部を有している必要はないが、間仕切りシート（開閉シート）に対する取り付け作業性などを改善するため、厚肉部に隣接して薄肉部を有していてもよく、厚肉部から薄肉部には厚みが連続的に又は段階的に変化していてもよい。薄肉部を利用すると、前記機械的方法、熱的方法などで間仕切りシートに細状体を容易に取り付けることができる。特に、ステープラ（ホッチキス）を利用して、ステープルで薄肉部を間仕切りシート（開閉シート）に簡便かつ容易に綴じて取り付けることができる。
【００８９】
さらに、前記厚肉部を形成する場合、間仕切りシートの上端部（側端部の上端部）には、間仕切りシートが抜け止め凹部で下方へ位置ずれするのを規制するためのストッパー部材を取り付けてもよい。このストッパー部材は、抜け止め凹部（抜け止め凹部壁）と係合又は掛合可能な形態であればよく、通常、間仕切りシートに対する取り付け部と、抜け止め凹部（抜け止め凹部壁）に対する係合又は係合部位とを有している。例えば、ストッパー部材は、断面Ｌ字状、断面Ｔ字状、断面マッチ棒状（抜け止め凹部の内径よりも大きな頭部とこの頭部から垂下する薄肉部とを有する断面形状）などの形態を有していてもよい。ストッパー部材も細状体と同様の機械的方法（ステープラにより綴じる方法など）、化学的方法、熱的方法などを利用して間仕切りシートに取り付けることができる。
【００９０】
本発明の開閉部材は、対向部材と、マグネット部材を装着するための装着凹部と、吊り下げ部を装着するための装着部と、間仕切りシート（開閉シート）を取り付けるための抜け止め凹部とで構成でき、間仕切りユニット（又は間仕切りセット）は、前記開閉部材に加えて、マグネット部材と、第１のランナーと、間仕切りシート（開閉シート）とで構成できる。間仕切りユニット（又は間仕切りセット）は、通常、第１のランナーを移動又はスライド可能に配設するためのレール部材を備えている。また、前記のように、ストッパー部材（例えば、厚肉部を形成するための細状体及び／又は間仕切りシートの下方へ位置ずれするのを規制するための上部ストッパー）を備えていてもよい。間仕切りユニット（又は間仕切りセット）は、第１のランナーが走行可能に配設されるレール部材又はガイド部材を備えており、種々の開閉構造を簡便に構築できる。
【００９１】
このような開閉構造は、対向部材の装着凹部にマグネット部材を装着するとともに、対向部材の抜け止め凹部に間仕切りシートを抜け止め状態で取り付け、第１のランナーの吊り下げ部を対向部材の装着部に装着し、間仕切り空間に配設されたレール部材又はガイド部材に第１のランナーを走向自在に配設することにより構築できる。なお、各部材の装着又は取り付け順序は特に制限されず、例えば、装着凹部にマグネット部材が装着され、抜け止め凹部に間仕切りシートが取り付けられた対向部材の装着部に、レール部材に走行自在に配設された第１のランナーの吊り下げ部を装着してもよい。
【００９２】
さらに、開閉構造は、前記間仕切りユニット（又は間仕切りセット）を種々の態様で用いて構築でき、前記開閉部材を構成する一対の対向部材のうち少なくとも一方の部材が、マグネット部材が装着可能な装着凹部（装着壁）に加えて、第１のランナーが装着可能な装着部と間仕切りシートが取り付け可能な抜け止め凹部とを備えていればよく、他方の対向部材は、マグネット部材が装着可能な装着凹部（装着壁）を備えていてもよい。例えば、開閉操作部（又は開閉空間）の少なくとも一方の端部（壁部や柱部などの閉じ側端部）に他方の対向部材を固定してもよく、この他方の対向部材の対向面（一方の対向部材との対向面）には、マグネット部材が装着可能な装着凹部（装着壁）を形成してもよい。また、開閉操作部（又は開閉空間）の途中部に、他方の対向部材を立設し（例えば、天井壁及び／又は床などに上端及び／又は下端を固定して立設し）、この他方の対向部材のうち開閉方向の両対向面（他方の対向部材の一方の側に配設された第１の対向部材と対向する第１の対向面と、他方の対向部材の他方の側に配設された第２の対向部材と対向する第２の対向面）にはマグネット部材が装着可能な装着凹部（装着壁）を形成してもよい。
【００９３】
このような開閉構造では、第１のランナーを介して、横方向に延びるレール部材（特に横方向に延びるレール部材）から縦方向に懸垂した状態で、少なくとも一方の対向部材が、前記レール部材に沿って移動又はスライド可能であり、開閉部材の開閉シートにより所定の空間を開閉可能である。
【００９４】
対向部材（特に、可動な対向部材）は、開閉操作のための操作壁又は操作部を備えていてもよく、間仕切りシートの側端部又は側縁部には肉厚部を有する部材を取り付けてもよい。
【００９５】
図５は、本発明の開閉部材及び開閉構造の他の例を示す概略分解斜視図である。なお、前記図１乃至図４と同様の部材又は要素には同一の符号を付して説明する（以下、同じ）。
【００９６】
この例では、一方の対向部材（可動な対向部材）８１は、第１の軟質マグネット部材９を長手方向（縦方向）に沿って装着するためのアリ溝状の装着凹部２を形成する断面コ字状装着壁３と、この装着壁に隣接して軸方向に貫通して延びる空孔で形成され、かつ第１のランナー２１の吊り下げ部２７が装着可能な横断面四角形状の装着孔部８４（又は装着孔部壁８５）と、この装着孔部壁に隣接して、かつ先端部が狭まった形態で延出する一対の延出規制壁８７ａ，８７ｂで形成されたスリット状抜け止め凹部８６とを備えており、スリット状抜け止め凹部には間仕切りシート３１が抜け止め状態で取り付けられる。装着孔部８４には、前記と同様に、第１のランナー２１の吊り下げ部２７がネジ部材２９で揺動可能に取り付けられている。
【００９７】
このような対向部材８１の一対の延出規制壁８７ａ，８７ｂ（又は装着孔部壁８５の両側壁）からは側方に操作壁８８ａ，８８ｂが翼状に延出し、操作部を形成している。さらに、一方の対向部材８１の下端部には、前記装着孔部８４に嵌合可能な嵌合凸部８９を有し、かつ対向部材８１の下端部の開口部を閉塞可能な下部キャップ部材９０が嵌合して装着されている。また、一方の対向部材８１は横断面形状が対称構造を有している。
【００９８】
さらに、間仕切りシート３１の側端部には、ストッパー部材４０が取り付けられ、このストッパー部材は、間仕切りシート３１の側端部の上端部に取り付け可能な断面Ｔ字状の上部ストッパー４０ａと、このストッパーの下部に位置する間仕切りシート３１の側端部に取り付け可能な抜け規制ストリップ（可撓性細状体又は帯状体）３２とを備えている。上部ストッパー４０ａは、一方の対向部材８１の上端面と係止又は掛止可能な天板状頂部４０ｂと、この天板状頂部から下方に延びる下部シート部（頂部から延びる薄肉部）４０ｃとを有している。また、抜け規制ストリップ（可撓性細状体又は帯状体）３２は、前記と同様に、厚肉部（肉厚な抜け規制部）３３を有する薄肉状の可撓性プラスチックで形成され、厚肉部３３に隣接して薄肉部３４を有しており、この薄肉部と上部ストッパー４０ａの下部シート部（頂部から延びる薄肉部）４０ｃは、前記と同様に、ステープラを用い、ステープル３９により間仕切りシート３１に簡便に取り付け可能である。
【００９９】
一方、他方の対向部材９１は、壁部又は柱部９２に固定され、板状の形態を有している。すなわち、他方の対向部材９１は、一方の対向部材８１との対向面（又は対向部）に、上記と同様の構造のアリ溝状の装着凹部１２を有する断面コ字状装着壁１３で形成されており、この装着凹部１２には第２の軟質マグネット部材１９が長手方向（縦方向）に沿って装着される。なお、他方の対向部材９１も横断面形状が対称構造に形成されている。
【０１００】
このような構造において、閉鎖した開閉部材において、一方の対向部材８１の操作壁８８ａ，８８ｂを開方向に牽引すると、操作壁８８ａ，８８ｂ及び一方の対向部材８１には捻り力が作用し、固定された他方の対向部材９１の第２の軟質マグネット部材１９に対して、第１の軟質マグネット部材９の磁気的吸着力を容易に開放できる。すなわち、一対の軟質マグネット部材９，１９の磁気的吸着力は対向方向に対しては強いものの、斜め方向からの牽引力（又は引離力）に対しては弱く、しかも一対の軟質マグネット部材９，１９の吸着面の側部が一旦開くと、軟質マグネット部材９，１９の磁気的吸着力が急激に低下する。そのため、閉じ操作では軟質マグネット部材９により長手方向に沿って緊密に閉じることができるとともに、開操作では、軟質マグネット部材９による磁気的吸着力を容易に開放できる。
【０１０１】
なお、開閉操作のための操作壁又は操作部は、必ずしも必要ではないが、対向部材に対してネジなどの取り付け手段により取り付けてもよく、対向部材と一体に成形して形成してもよい。操作壁又は操作部は、開閉操作可能であれば対向部材の適所に形成でき、例えば、対向部材の側壁（装着孔部壁及び／又は抜け止め凹部壁）に形成できる。また、操作壁又は操作部は、指が係止可能又は把持可能な形態であればよく、対向部材の側壁に窪ませて又は前記側壁から側方に延出させて形成できる。例えば、操作壁又は操作部は、凹凸部（突起又は突片状、凸条、凹溝状）などのほか、Ｌ字状、Ｕ字状又はアーム状、フラップ状などの形態であってもよく、取っ手状の把持部（把持部又は取っ手など）であってもよい。さらに、対向部材の長手方向に沿って１又は複数の操作壁又は操作部を形成してもよく、操作壁又は操作部は、対向部材の長手方向の適所に、又は長手方向に連続して形成してもよく、長手方向に間隔をおいて形成してもよい。さらには、操作壁又は操作部は、対向部材の一方の側壁（又は側面）に形成してもよく、対向部材の両側壁（又は両側面）にそれぞれ形成してもよい。
【０１０２】
また、下部キャップ部材を用いることなく、マグネット部材は、固定手段（ネジ、ビスや留め具などの機械的手段、粘着剤などの化学的手段など）などで装着凹部壁に取り付け（又は位置決め固定し）て装着してもよいが、通常、脱落防止手段により装着凹部からの脱落を防止してもよい。脱落防止手段は、対向部材の長手方向の少なくとも下端部、特に両端部に配設又は取り付けてもよい。例えば、脱落防止手段は、対向部材の下端部に装着可能な保持部材（キャップ部材など）で構成し、間仕切りシート（開閉シート）が下方へ脱離するのを防止してもよい。保持部材（キャップ部材など）は、装着孔部に限らず、対向部材の下端部の適所（例えば、アリ溝状の装着凹部、装着孔部（装着部）、抜け止め凹部）に嵌合可能な嵌合凸部又は差し込み部を有していてもよく、対向部材の下端部の周縁部全体に対して嵌合可能であってもよい。下部キャップ部材は、嵌合機構に限らず、種々の取り付け機構、例えば、ネジなどによる螺着機構などを利用して取り付けてもよい。
【０１０３】
装着凹部にマグネット部材を保持するため、対向部材の長手方向の上端部には、固定部材や保持部材（上部ストッパーなど）を取り付けてもよい。
【０１０４】
図６は、本発明の開閉部材及び開閉構造のさらに他の例を示す概略断面図である。この例では、前記図１及び図２に示すのと同様の構造を有する一対の対向部材（可動な第１の対向部材）１，１の間には、第３の対向部材（基準対向部材）１０１が固定して立設され、一方の第１の対向部材１と第３の対向部材（基準対向部材）１０１とで一対の対向面（対向部）を形成し、他方の第１の対向部材１と第３の対向部材（基準対向部材）１０１とで一対の対向面（対向部）を形成している。この例では、第３の対向部材（基準対向部材）１０１は、中空円筒状に形成され、２つの第１の対向部材１との対向面（又は対向部）には、それぞれ、第３のマグネット部材（軟質マグネット部材）１０９ａ，１０９ｂを長手方向（縦方向）に沿って装着するため、上記と同様の構造のアリ溝状の装着凹部１０２ａ，１０２ｂを有する断面コ字状装着壁１０３ａ，１０３ｂが形成されている。第３の対向部材（基準対向部材）１０１の横断面形状も対称構造を有している。
【０１０５】
このような構造でも、第１の対向部材１に対して、間仕切りシート３１を簡便かつ容易に取り付けることができるとともに、第１のマグネット部材９及び第３のマグネット部材１０９ａ，１０９ｂを、前記と同様の磁極の組合せの形態で、各装着凹部２，１０２ａ，１０２ｂに装着することにより、確実かつ精度よく第３の対向部材（基準対向部材）１０１に対して、第１の対向部材１を磁気的に吸着させることができる。特に、第３の対向部材（基準対向部材）１０１を基準として、各第１の対向部材１に取り付けられた間仕切りシート３１で所定の空間を仕切ることができる。
【０１０６】
なお、第３の対向部材又は基準対向部材１０１は、中空円筒状に限らず、前記のように、種々の棒状体の形態で使用できる。また、基準対向部材に３以上の複数の対向面（対向部）を形成すると、基準対向部材を中心として放射状などの形態で複数の対向部材（例えば、３〜６の対向部材）を配設することができる。例えば、断面四角形状の基準対向部材に隣接する３つの対向面を形成すると、基準対向部材を基点として断面Ｔ字状の形態で空間を仕切ることができ、４つの対向面を形成すると、基準対向部材を基点として断面十字状の形態で空間を仕切ることができる。そのため、基準対向部材は断面多面体の形状に形成してもよい。
【０１０７】
このように、一対の対向部材が、互いに対向面で対向可能な基準対向部材及び第１の対向部材（可動な対向部材）を備えている場合、基準対向部材には、周方向に複数の対向面を形成し、この対向面にマグネット部材が装着可能な装着凹部を形成してもよい。また、前記第１の対向部材の対向面にはマグネット部材が装着可能な装着凹部が形成するとともに、第１の対向部材の対向面に対して反対側の側壁には抜け止め凹部を形成してもよい。なお、複数の対向面のうち少なくとも１つの対向面に前記装着凹部を形成した基準対向部材は、立設して固定された他方の対向部材（固定対向部材）を形成することができる。また、基準対向部材は、可動な第１の対向部材に対して固定した対向部材を形成する場合が多い。好ましい態様では、基準対向部材は、断面多角形状（例えば、断面四角形状）に形成され、１又は複数の第１の対向部材に対して対向可能な複数の対向面（特に、基準対向部材のうち、少なくとも隣接する２つの対向面又は少なくとも互いに対向する対向面を含む複数の対向面）を有しており、これらの複数の対向面には前記のように装着凹部が形成されている。
【０１０８】
図７は、本発明の開閉部材及び開閉構造の別の例を示す概略断面図である。この例では、断面中空四角形状の第３の対向部材（基準対向部材）１１１の隣接する４つの側壁（４つの第１の対向部材１との対向面（又は対向部））には、上記と同様に、断面コ字状装着壁１０３ａ〜１０３ｄが形成され、この装着壁は、第３のマグネット部材（軟質マグネット部材）１０９ａ〜１０９ｄが長手方向（縦方向）に沿って装着可能なアリ溝状の装着凹部１０２ａ〜１０２ｄを有している。第３の対向部材（基準対向部材）１１１の横断面形状も対称構造を有している。このような第３の対向部材（基準対向部材）１１１を用いると、第３の対向部材（基準対向部材）１１１を中心として、各第１の対向部材１に装着された間仕切りシート３１により、所定の空間を断面十字状の形態で仕切ることができる。
【０１０９】
なお、第１の対向部材は、図１及び図２に示す構造に限らず、図３に示す構造の対向部材であってもよく、前記のように、他の構造の対向部材であってもよい。
【０１１０】
図８〜図１１は、本発明の開閉部材及び開閉構造の別の形態を示している。この例の開閉部材及び開閉構造は、さらに、間仕切り空間の側壁部に取り付け可能な側壁部材１２１と、間仕切りシート３１の側端部（側縁部）に取り付け可能なストッパー部材１４０と、対向部材の下端部に装着可能な下部キャップ部材１５１とを備えている。
【０１１１】
前記側壁部材１２１は、ビスなどのネジ部材１２８により壁面に対して取り付け可能な板状部１２２と、この板状部から、前記と同様に、先端部が屈曲又は湾曲して狭まった形態で延出する一対の延出規制壁１２７ａ，１２７ｂとを備えており、この一対の延出規制壁でスリット状の抜け止め凹部１２６を形成している。
【０１１２】
一方、間仕切りシート３１の両側端部（両側縁部）には、ストッパー部材１４０が取り付け可能であり、このストッパー部材は、断面Ｔ字状の上部ストッパー１４１と、このストッパーの下部に位置又は隣接して取り付け可能な抜け規制ストリップ（可撓性細状体又は帯状体）３２とを備えている。上部ストッパー１４１は、可撓性を有するプラスチックで形成され、前記側壁部材１２１及び対向部材８１の上端面と係止又は掛止可能な天板状頂部１４１ａと、この天板状頂部から下方に隣接して延出し、かつ間仕切りシート３１の側端部の上部を挟持可能な一対の薄肉状脚部１４２と、この一対の脚部の一方の側縁部に沿って形成され、前記側壁部材１２１の抜け止め凹部１２６及び対向部材８１の抜け止め凹部８６からの抜けを防止するための厚肉部（肉厚な抜け規制部）１４３と、この厚肉部の上部（天板状頂部１４１から延びて）に縦方向に膨出又は突出して厚肉に形成され、抜け止め凹部１２６，８６への圧入に伴って変形可能であり、かつ一対の延出規制壁（１２７ａ，１２７ｂ），（８７ａ，８７ｂ）の内壁に対して圧着可能な圧着部１４４とを備えている。また、可撓性プラスチックの抜け規制ストリップ（可撓性細状体又は帯状体）３２は、前記と同様に、薄肉部３４と、この薄肉部の一方の側縁に沿って形成された厚肉部３３を有しており、抜け止め凹部１２６，８６からの間仕切りシート３１の抜けを防止している。
【０１１３】
そのため、上部ストッパー１４０の一対の薄肉状脚部１４２で間仕切りシート３１の上部の側縁部を挟み、一対の薄肉状脚部１４２と間仕切りシート３１とをステープルなどの綴じ部材３９で綴じ、抜け規制ストリップ（可撓性細状体又は帯状体）３２の薄肉部３４と間仕切りシート３１とをステープルなどの綴じ部材３９で綴じ、前記抜け止め凹部１２６，８６に沿って間仕切りシート３１の両側端部（側縁部）をそれぞれ装着又は挿入することにより、抜け止め凹部１２６，８６から間仕切りシート３１が下降するのを防止できるとともに、抜け止め凹部１２６，８６から間仕切りシート３１が横方向に抜けるのを防止できる。特に、側壁部材１２１を利用することにより、間仕切り空間の壁面に、簡便かつ容易に間仕切りシート３１を抜け止め可能に取り付けることができる。
【０１１４】
さらに、対向部材８１の下端部には下部キャップ部材１５１が装着可能である。この例では、下部キャップ部材１５１は、対向部材８１の下端部に下部キャップ部材１５１を装着した状態でネジ部材１５６を用いて取り付けられている。前記下部キャップ部材１５１は、前記対向部材８１の平面形状（横断面形状）に対応した底板部１５２と、この底板部から突出して形成され、前記対向部材８１の下端部に嵌合して装着可能な装着部とを備えている。
【０１１５】
この装着部は、断面コ字状装着壁３で規定される前記装着凹部２の断面形状に対応して形成された装着部（前記マグネット部材に対応した断面形状の装着部）１５３と、前記装着孔部８４を形成する装着孔部壁８５の外壁に装着可能な線状の一対の装着部１５４ａ，１５４ｂと、前記装着孔部（ランナーの吊り下げ部が装着可能な孔部）８４に装着可能であり、かつネジ部材１５６が前進動可能な断面四角形の枠状嵌合部１５５とを備えている。この例では、前記枠状嵌合部１５５は、他の装着部１５３及び一対の装着部１５４ａ，１５４ｂよりも高く形成され、ネジ部材１５６により、装着孔部８４に対して強固に装着するため、前記枠状嵌合部１５５の周壁は湾曲又は屈曲して途中部の幅が狭く形成されている。
【０１１６】
そのため、対向部材８１の下端部に下部キャップ部材１５１の装着部を嵌入などの形態で装着し、ネジ部材１５６を枠状嵌合部１５５に螺合すると、ネジ部材１５６の前進動に伴って枠状嵌合部１５５を横方向へ拡げることができ、対向部材８１の下端部に下部キャップ部材１５１を強固に装着できる。
【０１１７】
なお、ストッパー部材は、一方の側縁部に沿って厚肉部（肉厚な抜け規制部）が形成された帯状体（抜け規制ストリップ又は可撓性細状体）のように、間仕切りシートの側端部（又は側縁部）に取り付け可能であり、開閉部材及び／又は上記側壁部材の抜け止め凹部からの間仕切りシートの抜けを規制可能な抜け規制部（前記例示の肉厚部に相当する規制部）だけで構成してもよいが、好ましい態様では、さらに、間仕切りシートが前記抜け止め凹部から下方へ位置ずれするのを規制するための下降規制部（前記例示の天板状頂部に相当する規制部）とを備えている。ストッパー部材は、断面Ｔ字状のストッパーと帯状体（抜け規制ストリップ）とを備えていてもよく、断面Ｔ字状のストッパーと帯状体（抜け規制ストリップ）とが一体化したストッパー部材（厚肉部が側縁に沿って連続して形成されたストッパー部材）であってもよい。
【０１１８】
なお、ストッパー部材は、前記ステープラ（ホッチキス）に限らず、接着、溶着などの一体化手段により、間仕切りシートの側端部（又は側縁部）に取り付けてもよい。
【０１１９】
下部キャップ部材は、断面中空状の対向部材の下端部に装着可能な装着部を有し、前記対向部材の下端部の開口部（例えば、少なくともスリット状の抜け止め凹部）を閉塞可能であればよい。図１２は下部キャップ部材の他の例を示す概略斜視図であり、この例の下部キャップ部材１６１では、枠状装着部１６５が、装着孔部（ランナーの吊り下げ部が装着可能な孔部）８４に装着可能な長方形状の枠状に形成されている。
【０１２０】
図１３に示す例では、下部キャップ部材１７１は、スリット１７２ａを有する底板部１７２と、この底板部から突出し、対向部材の下端部に装着可能な装着部とを備えており、この装着部は、対向部材の下端部の開口部（断面四角形状の開口部など）に装着可能な線状の一対の装着部１７３ａ，１７３ｂと、この一対の装着部から互いに連結する方向に延び、かつ縦方向に形成されたスリットにより中央部で半環状部が対峙（又は対向）する架橋部１７４ａ，１７４ｂとを備えている。このような下部キャップ部材１７１では、前記半環状部で形成される半割れ状の環状部１７５にネジ部材１５６を螺合することにより、ネジ部の前進動に伴って環状部１７５を横方向に拡大でき、断面中空状の対向部材の下端部に装着部を緊密に装着可能できる。
【０１２１】
なお、下部キャップ部材は、ネジ部材を利用することなく、対向部材の下端部に装着してもよい。また、図１３に示されるように、対向部材の下端部に下部キャップ部材の装着部を装着した状態で、横方向からのネジ部材１５６ｂにより、下部キャップ部材の装着部と対向部材とを締結又は連結してもよい。さらに、下部キャップ部材は、対向部材（基準対向部材を含む）に限らず、側壁部材の下端部にも装着してもよい。下部キャップ部材は、断面中空状の対向部材及び／又は側壁部材の下端部に装着可能であり、かつネジ部の前進動（螺合又はビス止め）に伴って横方向に拡大可能な装着部を有し、前記対向部材及び／又は側壁部材の下端部の開口部を閉塞可能するのが好ましい。
【０１２２】
なお、側壁部材は、前記形態に限定されず、間仕切り空間の側壁部に取り付け可能であり、かつ間仕切りシートの開閉方向に延出する一対の延出規制壁で形成されたスリット状の抜け止め凹部（間仕切りシートを抜け止め状態で取り付け可能な抜け止め凹部）を有していればよく、例えば、図１４に示されるように、側壁部材１８１は、ネジ部材１２８により壁面に対して取り付け可能な板状部１８２と、この板状部から、前記装着孔部壁８５に対応して、先端部が屈曲又は湾曲して狭まった形態で延出する一対の延出規制壁１８３ａ，１８３ｂとを備えている。この一対の延出規制壁のうち前記板状部１８２側は仕切り壁で仕切られ、ランナー２１の吊り下げ部２７が装着可能な装着孔部８４を形成し、一対の延出規制壁１８３ａ，１８３ｂの先端部はスリット状の抜け止め凹部１２６を形成している。
【０１２３】
側壁部材は、間仕切り空間の側壁部に取り付け可能であればよく、前記ネジ部材に限らず、必要であれば、壁部に対して嵌合形態や係合形態などの種々の形態で取り付けてもよく、接着などにより取り付けてもよい。
【０１２４】
開閉部材及び開閉構造は、前記種々の部材、例えば、側壁に取り付け可能な対向部材９１、シートが取り付け可能な側壁部材１２１，１８１、前記対向部材１，１１，８１、基準部材１０１，１１１などを組み合わせて構築できる。例えば、図１５に示されるように、シートが取り付け可能な側壁部材１８１と、シート及びマグネット部材が取り付け可能な一対の前記対向部材８１とを組み合わせて開閉部材及び開閉構造を構築してもよい。このような構造では、間仕切り空間の両側壁に側壁部材１８１の板状部１８２を取り付け、側壁部材１８１の抜け止め凹部１２６にシート３１の一方の端部の厚肉部（図示せず）を挿入し、ランナー（図示せず）を介してレール部材（図示せず）に沿って対向及び離反する方向に移動又はスライド可能な一対の対向部材８１の抜け止め凹部８６にシート３１の他方の肉厚部を挿入することにより構築してもよい。このような開閉部材及び開閉構造では、一対の対向部材８１の操作壁８８ａ，８８ｂ及びランナーを利用して、シート３１を円滑に開閉できる。
【０１２５】
また、開閉構造は、間仕切り空間の横方向の開閉に限らず、必要により縦方向の開閉に利用してもよい。縦方向の開閉では、一対のレール部材を縦方向に配設し、対向部材の長手方向の両端部の装着部に装着した第１のランナーを、一対のレール部材にそれぞれスライド可能に配設してもよい。
【０１２６】
間仕切りシート（開閉シート）は、樹脂フィルム又はシート（軟質樹脂シートなど）、紙、布帛（織布（カーテンなど）、不織布など）、樹脂含浸布帛などで構成でき、網状体又はネットで構成してもよい。また、間仕切りシートは、屈曲可能に連接された複数のシートやプレート又はパネル（木材板、金属板など）で構成してもよく、折り畳み式に展開（伸長）又は収納（収縮）可能なシートやパネルで構成してもよい。間仕切りシートは、透明、半透明又は不透明な樹脂フィルム又はシート、布帛などで形成する場合が多く、メッシュ状又はネット状（網目状）などの網状体で形成してもよい。特に、ステープラ（ホッチキス）により、厚肉部を形成するための抜け規制ストリップ（細状体又は帯状体）及びストッパー部材を間仕切りシート（開閉シート）に取り付けるのが好ましい。
【０１２７】
必要であれば、間仕切りシートは、開閉方向の適所（１又は複数箇所）にて、間仕切りシートの途中部を補強支持部材で挟持して支持してもよい。
【産業上の利用可能性】
【０１２８】
本発明の開閉部材は、種々のスペース、例えば、仕切り空間（老人ホームや病院の集会所、家庭のリビング、応接室、工場の作業ブース、クリーンルーム、倉庫；会議室；ホテルの部屋、宴会場；学校の教室、体育館；劇場のステージ；病院の病室、手術室；展示スペース；避難施設での部屋の区画など）、通路（工場、店舗などの建物の出入り口、部屋の出入り口、ビニールハウスの出入り口、建物の通路、部屋と部屋との間など）、窓（工場、ホテル、家屋などの開放部又は窓）などを間仕切りシートやカーテン（又は開閉カーテン）などで開閉又は仕切るための間仕切り又は開閉ユニット（又は開閉構造）を形成するのに利用できる。
【符号の説明】
【０１２９】
１，１１，８１，９１，１０１，１１１…対向部材
２，１２，１０２ａ，１０２ｂ…装着凹部
３，１３，１０３ａ，１０３ｂ…断面コ字状装着壁
４，１４，８４…装着孔部
５，１５，８５…装着孔部壁
７ａ，７ｂ，１７ａ，１７ｂ，８７ａ，８７ｂ…一対の延出規制壁
６，１６，８６…抜け止め凹部
９，１９，１０９ａ，１０９ｂ…軟質マグネット部材
２１…第１のランナー
２７…吊り下げ部
３０…レール部材
３１，３５…間仕切りシート（カーテン）
３２，３６…抜け規制ストリップ
３３，３８，１４３…厚肉部
４０，１４０…ストッパー部材
４１…第２のランナー
９０，１５１，１６１，１７１…キャップ部材
１２１，１８１…側壁部材
【図１】
2018126560.tif 000003
【図２】
2018126560.tif 000004
【図３】
2018126560.tif 000005
【図４】
2018126560.tif 000006
【図５】
2018126560.tif 000007
【図６】
2018126560.tif 000008
【図７】
2018126560.tif 000009
【図８】
2018126560.tif 000010
【図９】
2018126560.tif 000011
【図１０】
2018126560.tif 000012
【図１１】
2018126560.tif 000013
【図１２】
2018126560.tif 000014
【図１３】
2018126560.tif 000015
【図１４】
2018126560.tif 000016
【図１５】
2018126560.tif 000017